(57)【要約】【課題】  寝台を動作させるモータに負荷をかけることなく、且つ、モータに供給する電源が落ちてしまった場合でも、移動時の振動や衝撃などから生じるX線診断装置の破損や可動部の劣化などを防ぐX線診断装置を提供する。【解決手段】  被検体にX線を照射するX線発生部と、被検体を透過したX線を検出するX線検出部と、被検体を載置する寝台と、寝台に設置された起倒回転板と、起倒回転板を回転動作するよう支持する支持部と、を有し、支持部は、一端が当該支持部に取り付けられた固定バーを有し、起倒回転板は、固定バーの他端を固定するための固定バー受部を複数有し、寝台は、起倒回転板の回転動作により起倒動すると共に、固定バーの他端が前記複数の固定バー受部の内、何れか一つに固定されることで当該寝台の位置が固定されること、を特徴とする。【選択図】          図3
2016202727.tif 000002
【特許請求の範囲】
【請求項１】
被検体にＸ線を照射するＸ線発生部と、前記被検体を透過したＸ線を検出するＸ線検出部と、前記被検体を載置する寝台と、前記寝台に設置された起倒回転板と、前記起倒回転板を回転動作するよう支持する支持部と、を有し、
前記支持部は、一端が当該支持部に取り付けられた固定バーを有し、前記起倒回転板は、前記固定バーの他端を固定するための固定バー受部を複数有し、前記寝台は、前記起倒回転板の回転動作により起倒動すると共に、前記固定バーの他端が前記複数の固定バー受部の内、何れか一つに固定されることで当該寝台の位置が固定されること、
を特徴とするＸ線診断装置。
【請求項２】
前記固定バーは、前記支持部に対し回転自在に支持するための固定バー支持部、を有すること
を特徴とする請求項１に記載のＸ線診断装置。
【請求項３】
前記固定バーは、当該固定バーと前記固定バー支持部との設置位置から、前記固定バーの他端までの長さを調整するための長尺調整機構部と、を有すること
を特徴とする請求項２に記載のＸ線診断装置。
【請求項４】
前記固定バー受部は、前記固定バーの他端が契合するよう構成された契合部と、前記固定バーの他端が前記契合部に設置された際に、前記契合部に設けた穴部を介して前記固定バーの他端に当接することで前記固定バーの他端を前記契合部に固定する挿入ピンと、を有すること
を特徴とする請求項１乃至３の何れか一項に記載のＸ線診断装置。
【請求項５】
前記固定バー受部は、前記契合部に前記固定バーの他端が契合されていない場合に、前記起倒回転板の回転動作に依存することなく床面に対し同一方向を向くように構成されていること、
を特徴とする請求項４に記載のＸ線診断装置。
【請求項６】
前記支持部に取り付けられた前記固定バーの一端の位置を調整可能にする固定バー支持位置調整部、を有すること
を特徴とする請求項１乃至５の何れか一項に記載のＸ線診断装置。
【発明の詳細な説明】
【技術分野】
【０００１】
本発明は、X線診断装置が有する寝台の固定技術に関する。
【背景技術】
【０００２】
X線診断装置は、立位や臥位、又は逆傾といった各種体位での被検体のX線画像を取得するために、天板面が床面に対して起倒動する寝台を備えている。また、このような寝台を備えたX線診断装置を車両に搭載し検診に用いている。移動時にはモータを用いて天板面が床面に対して水平となる位置に寝台を戻した後、当該寝台をX線診断装置の本体部に固定することで、移動時の振動や衝撃などから生じるX線診断装置の破損や可動部の劣化などを防いでいる。
【０００３】
また、特許文献1には、寝台の起倒動に用いるモータに供給する電源が落ちてしまった場合に、寝台の天板面が床面に対して水平に復帰するスプリング手段を備える透視撮影台についての記載がされている。
【先行技術文献】
【特許文献】
【０００４】
【特許文献１】特開平1-262843号公報
【発明の概要】
【発明が解決しようとする課題】
【０００５】
しかしながら特許文献1では、スプリング手段が常に天板面を水平に復帰するように寝台に対し力を働かせているため、モータで寝台を動作させる場合、その力がモータに対し負荷として働く場合があり、その分、高出力なモータとそれに対応する電源が必要となっていた。
【０００６】
そこで、本発明の目的は、寝台を動作させるモータに負荷をかけることなく、且つ、モータに供給する電源が落ちてしまった場合でも、移動時の振動や衝撃などから生じるX線診断装置の破損や可動部の劣化などを防ぐX線診断装置を提供することである。
【課題を解決するための手段】
【０００７】
前記課題を解決するために、本発明のX線診断装置は、被検体にX線を照射するX線発生部と、被検体を透過したX線を検出するX線検出部と、被検体を載置する寝台と、寝台に設置された起倒回転板と、起倒回転板を回転動作するよう支持する支持部と、を有し、支持部は、一端が当該支持部に取り付けられた固定バーを有し、起倒回転板は、固定バーの他端を固定するための固定バー受部を複数有し、寝台は、起倒回転板の回転動作により起倒動すると共に、固定バーの他端が前記複数の固定バー受部の内、何れか一つに固定されることで当該寝台の位置が固定されること、を特徴とする。
【発明の効果】
【０００８】
本発明によれば、寝台を動作させるモータに負荷をかけることなく、且つ、モータに供給する電源が落ちてしまった場合でも、移動時の振動や衝撃などから生じるX線診断装置の破損や可動部の劣化などを防ぐX線診断装置を提供することができる。
【図面の簡単な説明】
【０００９】
【図１】本発明のX線診断装置の構成例を示す図。
【図２】本発明の実施例1における起倒回転板及び支持部を説明するための図。
【図３】本発明の実施例1における支持部の詳細を説明するための図。
【図４】本発明の実施例2を説明するための図。
【発明を実施するための形態】
【００１０】
以下、添付図面に従って本発明のX線診断装置1について説明する。なお、発明の実施形態を説明するための全図において、同一機能を有するものは同一符号を付け、その繰り返しの説明は省略する。
【００１１】
図1は、本発明に係るX線診断装置1の構成例を示す図である。
【００１２】
本発明のX線診断装置1は、被検体100にX線を照射するX線発生部101と、被検体100に対するX線照射領域を設定するX線絞り部102と、X線発生部101に対向する位置に配置され、被検体100を透過したX線を検出するX線検出部103と、被検体100を載置する寝台104と、寝台104の側面に設置した起倒回転板105と、起倒回転板105と支持する支持部106を、有する。
【００１３】
X線発生部101は、高電圧発生器から電力供給を受けてX線を発生させるX線管球を有する。X線発生部101には、特定のエネルギーのX線を選択的に透過させるX線フィルタなどを有していてもよい。
【００１４】
X線絞り部102は、X線発生部101から発生したX線を遮蔽するX線遮蔽用鉛板を複数有し、複数のX線遮蔽用鉛板をそれぞれ移動することにより、被検体100に対するX線照射領域を決定する。
【００１５】
X線検出部103は、例えば、X線を検出する複数の検出素子が二次元アレイ状に配置されて構成されており、X線発生部101から照射され、被検体100を透過したX線の入射量に応じたX線信号を検出する。
【００１６】
起倒回転板105は、支持部106に対して回転動作するように支持されており、この回転動作はモータを用いてなされる。モータに供給する電源は、X線診断装置1を搭載した検診車に備えられている発動発電機やバッテリなどから供給される。
【００１７】
寝台104は、この起倒回転板105の回転動作により起倒動するように構成されている。
【実施例１】
【００１８】
次に、本発明の実施例1について図2と図3を用いて説明する。
【００１９】
図2は、図1に示したX線診断装置1の寝台104長手方向(X方向)から見たときの起倒回転板105及び支持部106の詳細図である。また、図3(a)〜(c)は、図1に示したX線診断装置1の寝台104短手方向(Z方向)から見たときの起倒回転板105及び支持部106の詳細図である。
【００２０】
図2に示すように、支持部106には、一端が当該支持部106に取り付けられた固定バー201を備え、また、起倒回転板105には、この固定バー201の他端を固定するための固定バー受部202が備えられている。
【００２１】
固定バー201は、支持部106に対し回転自在に支持されるための固定バー支持部201aと、固定バー201と固定バー支持部201aとの設置位置から固定バー201の他端までの長さを調整するための長尺調整機構部201bと、を備えている。固定バー支持部201aは、球面ベアリング等を用いて構成されており、図2に示す固定バー201では、X軸、Z軸を回転軸として支持部106に支持される。
【００２２】
長尺調整機構部201bは、固定バー201の一端部にネジタップが切ることで構成され、固定バー201の伸長方向を回転軸として固定バー201自体を回転させることで固定バー201と固定バー支持部201aとの設置位置が移動し、これにより固定バー201と固定バー支持部201aとの設置位置から固定バー201の他端までの長さを調整することができる。
【００２３】
固定バー受部202は、契合部202aと、挿入ピン202bと、カウンタウェイト202cと、を備えている。契合部202aは、固定バー201の他端が契合するように構成されており、挿入ピン202bは、固定バー201の他端が契合部202aに設置された際に、契合部202aに設けた穴部を介して固定バー201の他端に当接するよう構成されている。固定バー201の他端はこの挿入ピン202bにより契合部202aに固定される。
【００２４】
また、固定バー受部202は、Z軸方向を回転軸とし起倒回転板105に対し回転可能となるように設置されている。カウンタウェイト202cは、起倒回転板105が同様にZ軸方向を回転軸とし回転しどのような角度で停止した場合であっても、契合部202aに固定バー201の他端が契合されていない場合においては、常に床面に対し、固定バー受部202が同一方向を向くようにするために備えられている。これにより、起倒回転板105がどのような角度であっても容易に固定バー201の他端を契合部202aに契合させることができる。
【００２５】
図3(a)〜(c)では寝台104の天板面が床面に対して、順に水平、垂直、斜め45度に傾斜した時の起倒回転板105と、当該起倒回転板105が固定バー201と固定バー受部202により支持部106に固定されている様子を示している。支持部106に起倒回転板105が固定されることで、寝台104も所定の角度にて固定される。これにより被検体100の臥位、立位、逆傾斜でのX線画像を取得することができる。図3では、起倒回転板105に2つの2つの固定バー受部202d，202eを備えた構成をしめしている。
【００２６】
このように起倒回転板105に複数の固定バー受部を備えることで、寝台104の複数の角度での固定を容易に行うことができる。つまり、これら寝台104の角度でモータに供給する電源が落ちてしまった場合でも手動での寝台104の角度調整を行わず、又は僅かな角度調整のみで電源が落ちてしまった時の寝台104の角度、またはそれに近い角度にて寝台104を支持部106に対して固定することができる。
【実施例２】
【００２７】
次に、本発明の実施例2について図4を用いて説明する。
【００２８】
実施例1と異なるのは、支持部106に取り付けられた固定バー201の一端の位置を調整可能にする固定バー支持位置調整部401を備えている点である。固定バー支持位置調整部401は、固定バー支持部201aを契合し、床面に立設する支持部106の左右方向の移動させるガイド401aを有して構成されている。これにより寝台104を支持部106に固定する際、固定バー201を床面対して鉛直となる向きに調整出来るので、より安定して寝台104を固定することができる。
【符号の説明】
【００２９】
1  X線診断装置、100  被検体、101  X線発生部、102  X線絞り部、103  X線検出部、104  寝台、105  起倒回転板、106  支持部、、201  固定バー、201a  固定バー支持部、201b  長尺調整機構部、202，202d，202e  固定バー受部、202a  契合部、202b  挿入ピン、202c  カウンタウェイト、401  固定バー支持位置調整部、401a  ガイド
【図１】
2016202727.tif 000003
【図２】
2016202727.tif 000004
【図３】
2016202727.tif 000005
【図４】
2016202727.tif 000006